(57)【要約】【課題】屋内で実際のゴルフボールの打撃練習用に使用される上で、練習具の構成と設置作業を単純化する。【解決手段】屋内の天井側から懸垂する正面幕材２と、正面幕材２の両側に配置され、屋内の天井側から懸垂する側面幕材３、３と、両側面幕材３、３に跨り、上端において側面幕材３に連結され、その連結部分から懸垂する１枚、もしくは複数枚の打球受け幕材４から屋内ゴルフ練習具１を構成し、正面幕材２と側面幕材３に使用時に天井側と床との間で張力を与える。【選択図】図１
2007044483.tif 000002
【特許請求の範囲】
【請求項１】
屋内に組み立てられ、ゴルフボールの打撃練習に使用される練習具であり、屋内の天井側から懸垂する正面幕材と、この正面幕材の両側に配置され、屋内の天井側から懸垂する側面幕材と、この両側面幕材に跨り、上端において側面幕材に連結され、その連結部分から懸垂する１枚、もしくは複数枚の打球受け幕材を備え、前記正面幕材と前記側面幕材は使用時に天井側と床との間で張力が与えられた状態で懸垂することを特徴とする屋内ゴルフ練習具。
【請求項２】
打球受け幕材は側面幕材に着脱自在に連結されていることを特徴とする請求項１に記載の屋内ゴルフ練習具。
【請求項３】
打球受け幕材は正面幕材の表面から距離を隔てて配置されていることを特徴とする請求項１、もしくは請求項２に記載の屋内ゴルフ練習具。
【請求項４】
両側面幕材の上端部間に上面幕材が配置されていることを特徴とする請求項１乃至請求項３のいずれかに記載の屋内ゴルフ練習具。
【請求項５】
両側面幕材の下端部間に底面幕材が配置されていることを特徴とする請求項１乃至請求項４のいずれかに記載の屋内ゴルフ練習具。
【請求項６】
底面幕材の、打球受け幕材の下方位置に、打球受け幕材に当たって落下するボールを受け止める受け部が形成されていることを特徴とする請求項５に記載の屋内ゴルフ練習具。
【請求項７】
正面幕材の下端部に、底面幕材の形態を安定させる形態保持材が配置されていることを特徴とする請求項１乃至請求項６のいずれかに記載の屋内ゴルフ練習具。
【請求項８】
形態保持材は底面幕材上に配置され、自重により前記正面幕材と前記側面幕材に張力を与える質量を有していることを特徴とする請求項７に記載の屋内ゴルフ練習具。
【発明の詳細な説明】
【技術分野】
【０００１】
本発明は屋内で実際のゴルフボールの打撃練習用に使用され、不使用時に折り畳み自在な屋内ゴルフ練習具に関するものである。
【背景技術】
【０００２】
屋内で実際のゴルフボールを打撃練習するための練習具として、打球が飛び出す正面とその両側面にネット等の幕材で打撃位置を包囲する練習具があるが（特許文献１〜４参照）、ショットしたボールが幕材で区画された空間外に出ないようにする上では、側面に位置する幕材がショット位置から正面までに亘って連続的に配置されていることが望ましい（特許文献１参照）。
【０００３】
【特許文献１】特開２００２−０６５９２５号公報（請求項１、段落００２０〜００３７、図１〜図４）
【特許文献２】特許２００４−０６５６２７号公報（請求項１、段落０００８〜００１４、図１、図３〜図５）
【特許文献３】特開２００４−２５４９４４号公報（請求項６、段落００４２〜００５４、００６７〜００６８、図１、図１２）
【特許文献４】特開２００５−１２５１０４号公報（請求項１、段落０００７〜０００８、図１）
【発明の開示】
【発明が解決しようとする課題】
【０００４】
特許文献１の正面及び側面の幕材は天井から懸垂するため、幕材自身がボールの衝突時にボールを包囲するように変形できることと、幕材が前後に揺れることから、ボールが衝突したときの衝撃を緩和することが可能である（段落００２０、００２１）。
【０００５】
しかしながら、幕材を天井から懸垂させるには幕材を掛けるための棒材を天井の下に架設しなければならず（段落００２０、図１）、そのために棒材を対向する壁間に突っ張った状態で架設するか、または棒材を天井から懸垂させることが必要になり、幕材を設置するための部品を必要とするため、練習具の構成が複雑化し、その組み立てと解体作業も複雑化する。
【０００６】
本発明は上記背景より、幕材を設置するための部品数が少なく、組み立て作業と解体作業が単純化される形態の屋内ゴルフ練習具を提案するものである。
【課題を解決するための手段】
【０００７】
請求項１に記載の発明の屋内ゴルフ練習具は、屋内に組み立てられ、ゴルフボールの打撃練習に使用される練習具において、屋内の天井側から懸垂する正面幕材と、この正面幕材の両側に配置され、屋内の天井側から懸垂する側面幕材と、この両側面幕材に跨り、上端において側面幕材に連結され、その連結部分から懸垂する１枚、もしくは複数枚の打球受け幕材を備え、前記正面幕材と前記側面幕材が使用時に天井側と床との間で張力が与えられた状態で懸垂することを構成要件とする。正面幕材と側面幕材は天井、または壁や柱、梁等から懸垂する。
【０００８】
正面幕材と側面幕材が天井側から直接吊り支持されることで、練習具の組み立ての際には正面幕材と側面幕材の上端を天井や壁等に掛止させるのみで基本要素の組み立てを完了させることができるため、特許文献１で必要とされる棒材と吊り金具が不要になり、練習具の構成が簡素化され、組み立て作業と解体作業が単純化される。組み立て作業と解体作業は正面幕材と側面幕材が連結されているか、または連続している場合に、一層単純化される。連結されている、とは正面幕材と側面幕材が端部において縫い合わせられているか、着脱自在に連結されていることを言う。
【０００９】
正面幕材と側面幕材が組み立てられた状態では両幕材に張力が与えられることで、使用時にボールが直接衝突することがあっても、張力が与えられていない場合より衝突時の衝撃による変形量が小さいため、屋内の壁にボールが衝突するような事態が回避される。張力が与えられていない場合には幕材がボールの勢い（運動エネルギ）を弱めることができないため、ボールが正面幕材毎、正面の壁に衝突する可能性があるが、幕材に張力が与えられることで、幕材が衝撃に対する抵抗力と変形後の復元力を有するため、ボールの勢いを減殺させることが可能になる。
【００１０】
幕材がボールの勢いを減殺させることで、ボールが衝突したときの衝撃を緩和させる上で、幕材にマットのような厚手の生地を使用する必要がないため、布地やネット等の薄手の生地をそのまま、重ねることなく使用することが可能になり、幕材の軽量化とそれに伴う練習具全体の軽量化が図られることになる。
【００１１】
打球受け幕材は側面幕材に縫い合わせられる等、側面幕材に一体的に連結される他、請求項２に記載のように側面幕材に着脱自在に連結される。請求項２の場合には、打球受け幕材が着脱自在であることで、打球受け幕材の高さ調整や、高さ寸法の異なる打球受け幕材への差し替え等に対応することが可能になる。
【００１２】
正面に向かって打撃されたボールは打球受け幕材に衝突した後に落下するが、ボールの勢いが大きい（強い）場合には打球受け幕材で一旦、勢いが弱められた後にそのまま打球受け幕材と共に正面幕材に衝突した後に落下する。このとき、打球受け幕材が正面幕材に接近していれば、ボールの勢いに関係なくボールが打球受け幕材と共に正面幕材に衝突してから落下すると考えられる。
【００１３】
これに対し、請求項３に記載のように打球受け幕材が正面幕材の表面から距離を隔てて配置されていれば、打球受け幕材が正面幕材に衝突する前に、打球受け幕材の変形によるボールの衝撃吸収効果が発揮され、ボールの勢いが弱められるため、打球受け幕材が正面幕材に接近している場合よりボールが打球受け幕材と共に正面幕材に衝突するときに、正面幕材が受ける衝撃が緩和される利点がある。正面幕材の衝撃が緩和されることで、正面幕材、及び側面幕材を天井側から吊り支持する吊り材やその幕材への連結部の破損を回避する効果に結び付く。
【００１４】
ボールの打ち損じにより正面に飛んだボールが上方へ向かった場合にはボールが天井に衝突する可能性がある。これに対し、請求項４に記載のように両側面幕材の上端部間に上面幕材が配置されていれば、上方へ向かって飛ぶボールを上面幕材が抑えることができるため、天井を保護することが可能になる。天井を保護する効果は上面幕材に張力が与えられることで向上する。上面幕材は側面幕材に連結されている場合と、連続している場合があり、連結には着脱自在の場合もある。
【００１５】
前記のように正面に向かって打撃されたボールは打球受け幕材に衝突した後に落下するが、請求項５に記載のように両側面幕材の下端部間に底面幕材が配置されていれば、底面幕材上に落下したボールの回収作業をし易くなる利点がある。また底面幕材を床面に固定すれば、正面幕材と側面幕材を含む幕材全体に張力を与えることができるため、練習具の安定性を向上させることが可能になる。底面幕材も側面幕材に連結されている場合と、連続している場合があり、連結には着脱自在の場合もある。
【００１６】
ボールの打撃練習は床面上に、人工芝等が植設、または形成された練習マットを敷いた状態で行われるが、請求項５では底面幕材があることで、練習マットを敷いたときに床面を保護する効果も有することになる。
【００１７】
請求項５では底面幕材によって落下したボールの回収が容易になるが、特に請求項６に記載のように底面幕材の、打球受け幕材の下方位置に、打球受け幕材に当たって落下するボールを受け止める受け部が形成されていれば、底面幕材の上に落下したボールの散乱がなくなるため、回収作業を一層簡単に行うことが可能になる。受け部は例えば底面幕材の一部として、または底面幕材と側面幕材、あるいは底面幕材と側面幕材及び正面幕材の一部として形成される。
【００１８】
また請求項７に記載のように正面幕材の下端部に、底面幕材の形態を安定させる形態保持材が配置されていれば、底面幕材の、打球受け幕材の下方位置に皺が寄ったり、位置がずれたりするようなことを回避することができるため、落下したボールが無秩序に散乱する事態が回避される。
【００１９】
特に形態保持材を請求項６の受け部内に収納すれば、受け部の形態が常に形態保持材によって保たれ、受け部が収納したボールの数の増加に伴う受け部の変形が防止されるため、ボールの回収作業を確実に行うことが可能になる。受け部内への形態保持材の収納によりボールが跳ねる可能性がある場合には形態保持材の上に緩衝材が配置される。
【００２０】
請求項７に記載の形態保持材が請求項８に記載のように床面上に配置され、自重により正面幕材と側面幕材に張力を与えるだけの質量を持っていれば、正面幕材と側面幕材を天井等から吊る際に、正面幕材と側面幕材に張力が与えられるだけの引張力を与えなくても正面幕材と側面幕材に張力を与えた状態でこれらを吊ることができるため、正面幕材と側面幕材の安定性が向上する利点がある。
【発明の効果】
【００２１】
屋内の天井側から懸垂する正面幕材と、正面幕材の両側の天井側から懸垂する側面幕材と、両側面幕材に跨り、上端において側面幕材に連結され、その連結部分から懸垂する打球受け幕材から練習具を構成することで、棒材と吊り金具等の部品を不要にするため、練習具の構成を簡素化することができる。
【００２２】
また練習具の組み立ての際には正面幕材と側面幕材の上端を天井や壁等に掛止させるのみで基本要素の組み立てを完了させることができるため、組み立て作業と解体作業を単純化することができる。
【発明を実施するための最良の形態】
【００２３】
以下、図面を用いて本発明を実施するための最良の形態を説明する。
【００２４】
本発明は図１に示すように屋内の天井側から懸垂する正面幕材２と、正面幕材２の両側に配置され、屋内の天井側から懸垂する側面幕材３、３と、両側面幕材３、３に跨り、上端において側面幕材３に連結され、その連結部分から懸垂する１枚、もしくは複数枚の打球受け幕材４を備える屋内ゴルフ練習具（以下、練習具と言う）１である。正面幕材２と側面幕材３は使用時に天井側と床との間で張力が与えられた状態で懸垂する。
【００２５】
天井側とは、練習具１の使用（組み立て）状態で正面幕材２と側面幕材３の上端より上側の領域にある構造体等を指し、天井、壁、柱、梁等、練習具１を支持するのに十分な強度を有する部位を含む。練習具１は実際のゴルフボールを対象とするため、主としてアプローチショットの練習に使用される。
【００２６】
両側面幕材３、３の上端部間には必要により上方に飛んだボールを受け止めるための上面幕材５が配置され、両側面幕材３、３の下端部間には落下したボールの回収をし易くするための底面幕材６が配置され、共に両側面幕材３、３に連結されるか、連続する。
【００２７】
正面幕材２と側面幕材３、及び上面幕材５と底面幕材６の素材は問われないが、前記した通り、張力が与えられることで衝突したボールの衝撃に対する抵抗力を有することから、薄手の生地から成型することができるため、例えば木綿等の天然繊維からなる布地や、ナイロン、ポリエステル等の合成繊維、または再生繊維等からなる布地、あるいはネット等が使用される。練習具１が薄手の生地から成型されることで、練習具１の軽量化が図られる利点がある。
【００２８】
ボールが打球受け幕材４に衝突するときの緩衝効果は合成繊維より木綿の方が高いため、打球受け幕材４には木綿の使用が適切である。また床面との間の摩擦力は合成繊維より木綿の方が大きいことから、底面幕材６にも木綿の使用が適切である。
【００２９】
練習具１は使用状態では図１に示すように上記の正面幕材２と側面幕材３、及び上面幕材５と底面幕材６により、打席側を除いて閉じた空間を形成し、この状態で正面幕材２と側面幕材３が天井側から懸垂し、張力が与えられることにより形態を維持し、使用状態での形態安定性を確保する。正面幕材２と側面幕材３は分離していることによるボールの空間外への抜け出しを防止する上では、互いに連結されるか、または連続する。同様に上面幕材５と底面幕材６もそれぞれ正面幕材２と側面幕材３に連結されるか、連続する。
【００３０】
底面幕材６が連結等された場合には、床面上に敷設される底面幕材６の上に、ボールをショットするための練習マット１０を敷くことで底面幕材６を床面に押え付けることができるため、正面幕材２と側面幕材３の形態安定性がより高められる。
【００３１】
正面幕材２と側面幕材３の上方には天井等から吊り支持されるための紐やゴム、金具等の吊り材７が接続されており、吊り材７が天井、または柱や壁等に固定されているフック等に掛止して正面幕材２と側面幕材３が自重で懸垂することにより正面幕材２と側面幕材３に張力が与えられる。図示するように側面幕材３、３間に上面幕材５が配置された場合には、使用状態での練習具１の形態安定性を高めるために上面幕材５にも吊り材７が接続される。
【００３２】
吊り材７は図１、図２に示すように練習具１の全体が安定して天井側から吊り支持されるよう、正面幕材２と側面幕材３の連結部分の上方等、正面幕材２と側面幕材３の上端に沿った周方向に均等に配置される。
【００３３】
吊り材７は正面幕材２と側面幕材３に部分的に接続される他、紐等の場合には正面幕材２と側面幕材３の上端に沿って連続的に形成された穴に通されて突出する。吊り材７が正面幕材２と側面幕材３に沿って形成された穴に通される場合には、正面幕材２と側面幕材３の上端に沿った全周、または上面幕材５の全周を天井側から吊り下げることができるため、正面幕材２と側面幕材３の全体に、ほぼ均等に張力を与えることが可能になる。
【００３４】
打球受け幕材４はそれが受けたボールの衝撃を緩和するために、図３に示すように正面幕材２の表面から距離を隔てた位置、具体例には２０〜３０ｃｍ程度離れた位置に配置され、両側面幕材３、３に跨り、上端において側面幕材３に連結され、その連結部分から懸垂する。打球受け幕材４は側面幕材３に縫い合わせられる等、一体的に連結されることもあるが、高さ調整や打球受け幕材４の交換等をすることができるようにする上では、着脱自在に連結される。
【００３５】
着脱自在に連結される場合には、対向する向きに凸部（ループ）と凹部（フック）が互いに嵌まり合うことにより連結状態となり、引っ張られることにより分離状態となる面状ファスナー（面状テープ）の他、フックやホック、ボタンとボタンホール等が打球受け幕材４と側面幕材３に貼付、または縫い付けられる。図１中、１１が面状ファスナーを示している。
【００３６】
図面では３枚の打球受け幕材４を高さ方向に配列させた場合を示しているが、高さ寸法の大きい１枚の打球受け幕材４を配置することもある。複数枚の打球受け幕材４を配置する場合には、ボールが上下に隣接する打球受け幕材４、４間から抜け出さないよう、隣接する打球受け幕材４、４は立面上、互いに重なり合うように配置される。
【００３７】
複数枚の打球受け幕材４を配置する場合にはまた、受けたボールを底面幕材６の上に導くことができるよう、図３に示すように相対的に下側に位置する打球受け幕材４が打席寄り、すなわち練習マット１０寄りに位置するように重ね合わせられる。
【００３８】
底面幕材６の、打球受け幕材４の下方位置には図４に示すように打球受け幕材４が受け、落下したボールを受け止め、収納するための受け部８が形成される。受け部８は底面幕材６の正面幕材２寄りの位置に、例えば底面幕材６の素材と同一の素材を前壁８ａとして立ち上げ、その両側を側面幕材３に連結することにより、前壁８ａと正面幕材２、及び側面幕材３、３から箱形に形成される。図２では受け部８の形態を維持し易くするために前壁８ａの両側に連続して側壁８ｂを立ち上げ、側壁８ｂを側面幕材３に重ねている。図４は最下部の打球受け幕材４を外した様子を示している。
【００３９】
打席からショットされたボールの内、低く打撃された（角度の小さい）ボールの勢いは大きく、高く打撃された（角度の大きい）ボールの勢いは小さいことから、勢いのあるボールが直接正面幕材２に当たることがないよう、最も下に位置する打球受け幕材４の下側は受け部８の内部に入り込む。図面では最も上に位置する打球受け幕材４と上面幕材５との間に隙間を形成しているが、最も上の打球受け幕材４は比較的勢いの小さいボールを受けることから、上面幕材５との間の隙間はボールを受け止める上では特に問題はない。
【００４０】
底面幕材６上に形成された受け部８内には受け部８の形態を維持し、変形を防止する形態保持材９が収納される。この場合、形態保持材９が落下したボールの増加に伴う受け部８の変形を阻止するため、受け部８が常に一定の面積を維持し、ボールの収納能力が向上する利点がある。受け部８内に収納された形態保持材９の上にはボールを入れるための収納箱を設置することもある。
【００４１】
形態保持材９は底面幕材６に配置され、自重により正面幕材２と側面幕材３に張力を与える質量を有し、底面幕材６、特に受け部８を床面に押さえ付ける重りとしての機能を持つ。形態保持材９は例えば木材やプラスチック等のブロックから成型され、ある程度の質量を有することにより取り扱い作業性が低下する可能性があるが、正面幕材２の幅方向に複数個に分割されることで、取り扱い易さを高め、練習具１解体時の回収をし易くすることができる。
【００４２】
練習具１は主として正面幕材２と側面幕材３、及び上面幕材５と底面幕材６、並びに打球受け幕材４から構成され、それぞれの素材には薄手の生地を使用することができることから、不使用時には吊り材７を天井側から外すことにより小さく折り畳むことができるため、収納に場所を取ることはない。特に不使用時に収納袋内に収容すれば、容積を小さくした状態で練習具１を収納でき、場所を選ばずに保管できる他、持ち運びがし易い利点がある。
【図面の簡単な説明】
【００４３】
【図１】本発明の屋内ゴルフ練習具の組み立て状況を打席側から見た様子を示した斜視図である。
【図２】図１に示す屋内ゴルフ練習具を天井側から見た様子を示した斜視図である。
【図３】図２のＡ−Ａ線断面図である。
【図４】打球受け幕材と底面幕材上に形成された受け部との関係を示した斜視図である。
【符号の説明】
【００４４】
１………屋内ゴルフ練習具
２………正面幕材
３………側面幕材
４………打球受け幕材
５………上面幕材
６………底面幕材
７………吊り材
８………受け部
８ａ……前壁
８ｂ……側壁
９………形態保持材
１０……練習マット
１１……面状ファスナー
【図１】
2007044483.tif 000003
【図２】
2007044483.tif 000004
【図３】
2007044483.tif 000005
【図４】
2007044483.tif 000006
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
屋内に組み立てられ、ゴルフボールの打撃練習に使用される練習具であり、屋内の天井側から懸垂する正面幕材と、この正面幕材の両側に配置され、屋内の天井側から懸垂する側面幕材と、この両側面幕材に跨り、上端において側面幕材に連結され、その連結部分から懸垂する１枚、もしくは複数枚の打球受け幕材と、前記両側面幕材の下端部間に配置される底面幕材と、前記正面幕材下端部の前記底面幕材上に配置され、前記底面幕材の形態を安定させる形態保持材を備え、前記正面幕材と前記側面幕材は使用時に前記形態保持材により天井側と床との間で張力が与えられた状態で懸垂し、前記底面幕材の、前記打球受け幕材の下方位置に、前記打球受け幕材に当たって落下するボールを受け止める受け部が、前記底面幕材から立ち上がる前壁とその両側から立ち上がる側壁から箱形に形成され、この受け部内に前記形態保持材が収納されていることを特徴とする屋内ゴルフ練習具。
【請求項２】
打球受け幕材は側面幕材に着脱自在に連結されていることを特徴とする請求項１に記載の屋内ゴルフ練習具。
【請求項３】
打球受け幕材は正面幕材の表面から距離を隔てて配置されていることを特徴とする請求項１、もしくは請求項２に記載の屋内ゴルフ練習具。
【請求項４】
両側面幕材の上端部間に上面幕材が配置されていることを特徴とする請求項１乃至請求項３のいずれかに記載の屋内ゴルフ練習具。
【手続補正２】
【補正対象書類名】明細書
【補正対象項目名】０００７
【補正方法】変更
【補正の内容】
【０００７】
請求項１に記載の発明の屋内ゴルフ練習具は、屋内に組み立てられ、ゴルフボールの打撃練習に使用される練習具であり、屋内の天井側から懸垂する正面幕材と、この正面幕材の両側に配置され、屋内の天井側から懸垂する側面幕材と、この両側面幕材に跨り、上端において側面幕材に連結され、その連結部分から懸垂する１枚、もしくは複数枚の打球受け幕材と、前記両側面幕材の下端部間に配置される底面幕材と、前記正面幕材下端部の前記底面幕材上に配置され、前記底面幕材の形態を安定させる形態保持材を備え、前記正面幕材と前記側面幕材は使用時に前記形態保持材により天井側と床との間で張力が与えられた状態で懸垂し、前記底面幕材の、前記打球受け幕材の下方位置に、前記打球受け幕材に当たって落下するボールを受け止める受け部が、前記底面幕材から立ち上がる前壁とその両側から立ち上がる側壁から箱形に形成され、この受け部内に前記形態保持材が収納されていることを構成要件とする。正面幕材と側面幕材は天井、または壁や柱、梁等から懸垂する。
【手続補正３】
【補正対象書類名】明細書
【補正対象項目名】００１５
【補正方法】変更
【補正の内容】
【００１５】
前記のように正面に向かって打撃されたボールは打球受け幕材に衝突した後に落下するが、請求項１では両側面幕材の下端部間に底面幕材が配置されていることで、底面幕材上に落下したボールの回収作業をし易くなる利点がある。また底面幕材を床面に固定すれば、正面幕材と側面幕材を含む幕材全体に張力を与えることができるため、練習具の安定性を向上させることが可能になる。底面幕材も側面幕材に連結されている場合と、連続している場合があり、連結には着脱自在の場合もある。
【手続補正４】
【補正対象書類名】明細書
【補正対象項目名】００１６
【補正方法】変更
【補正の内容】
【００１６】
ボールの打撃練習は床面上に、人工芝等が植設、または形成された練習マットを敷いた状態で行われるが、底面幕材があることで、練習マットを敷いたときに床面を保護する効果も有することになる。
【手続補正５】
【補正対象書類名】明細書
【補正対象項目名】００１７
【補正方法】変更
【補正の内容】
【００１７】
請求項１では底面幕材によって落下したボールの回収が容易になるが、特に底面幕材の、打球受け幕材の下方位置に、打球受け幕材に当たって落下するボールを受け止める受け部が形成されていることで、底面幕材の上に落下したボールの散乱がなくなるため、回収作業を一層簡単に行うことが可能になる。受け部は例えば底面幕材の一部として、または底面幕材と側面幕材、あるいは底面幕材と側面幕材及び正面幕材の一部として形成される。
【手続補正６】
【補正対象書類名】明細書
【補正対象項目名】００１８
【補正方法】変更
【補正の内容】
【００１８】
また形態保持材は正面幕材の下端部に配置され、底面幕材の形態を安定させることから、底面幕材の、打球受け幕材の下方位置に皺が寄ったり、位置がずれたりするようなことを回避することができるため、落下したボールが無秩序に散乱する事態が回避される。
【手続補正７】
【補正対象書類名】明細書
【補正対象項目名】００１９
【補正方法】変更
【補正の内容】
【００１９】
更に形態保持材が受け部内に収納されることで、受け部の形態が常に形態保持材によって保たれ、受け部が収納したボールの数の増加に伴う受け部の変形が防止されるため、ボールの回収作業を確実に行うことが可能になる。受け部内への形態保持材の収納によりボールが跳ねる可能性がある場合には形態保持材の上に緩衝材が配置される。
【手続補正８】
【補正対象書類名】明細書
【補正対象項目名】００２０
【補正方法】変更
【補正の内容】
【００２０】
形態保持材は床面上に配置され、自重により正面幕材と側面幕材に張力を与えるだけの質量を持っていれば、正面幕材と側面幕材を天井等から吊る際に、正面幕材と側面幕材に張力が与えられるだけの引張力を与えなくても正面幕材と側面幕材に張力を与えた状態でこれらを吊ることができるため、正面幕材と側面幕材の安定性が向上する利点がある。